(57)【特許請求の範囲】
【請求項１】
透光性を有する表示板と、前記表示板の側方に設けられた光源と、前記光源が発する光を前記表示板の背面に反射させるべく前記表示板と前記光源との間に設けられた反射板と、前記反射板で反射した光を前記表示板の背面に拡散させるべく前記表示板と前記反射板との間に設けられた第１の拡散シートと、前記光源が発する光を前記反射板へ拡散させるべく前記反射板と前記光源との間に設けられた第２の拡散シートとを具備し、前記第１の拡散シートと前記第２の拡散シートとは、略Ｌ字状に一体形成されたものであることを特徴とする表示装置。
【請求項２】
前記第１の拡散シート側の前記第２の拡散シートとの接続部と反対側の端縁に折曲部が形成されることを特徴とする請求項１に記載の表示装置。
【請求項３】
前記反射板の前記光源に近い側の端縁に前記第２の拡散シート側の前記第１の拡散シートとの接続部と反対側の端縁との係合部を設けたことを特徴とする請求項１又は請求項２に記載の表示装置。
【請求項４】
前記反射板の両側端に遮光壁を設けたことを特徴とする請求項１乃至請求項３のいずれかに記載の表示装置。
【請求項５】
前記反射板の反射面を凹面としたことを特徴とする請求項１乃至請求項４のいずれかに記載の表示装置。
【請求項６】
前記拡散シートはポリエステルシートであることを特徴とする請求項１乃至請求項５のいずれかに記載の表示装置。
【請求項７】
請求項１乃至請求項６のいずれかに記載の表示装置を備えた画像通信機又は複写機。
【発明の詳細な説明】
【０００１】
【発明の属する技術分野】
本発明は、表示装置およびこれを備えた画像通信機ならびに複写機に関するものである。
【０００２】
【従来の技術】
従来、画像通信機や複写機の表示装置として、その背面から照光するようにしたバックライト透過型液晶パネルが一般に用いられている。このバックライトを用いた液晶表示装置２０は、例えば図１１に示したように、液晶パネル２１の側方から光を照射する光源（例えばＬＥＤ）２２と、光源２２が発する光を液晶パネル２１の背面へ反射させる反射板２３と、反射板２３と液晶パネル２１の背面との間に配置された光拡散シート２４とを備えている。この従来の液晶表示装置２０においては、反射板２３で反射された光を拡散シート２４で拡散させて液晶パネル２１の背面に照射することにより、液晶パネル２１の表示面の照度分布の均一化を図っている。また、液晶パネル２１の背面に拡散シート２４を配置することにより、液晶パネル２１の背面側に設けられた光源２２などの照光装置が液晶パネル２１の表面から透けて見えることを防止している。なお、液晶パネル２１の側方からの光線を反射させて液晶パネル２１の背面に照射するのは、十分な光路長を確保した上で表示装置２０を薄型化するためである。
【０００３】
【発明が解決しようとする課題】
しかるに、上記の従来技術によると、ＬＥＤを光源として利用した場合、ＬＥＤが発する光は収束性を有しており、反射板で反射された後に拡散シートにスポット光として入射するが、一般の拡散シートの拡散角度はさほど広くはないので、そこでの拡散が不十分になりがちであった。そのため、液晶パネルの表示面の照度分布が完全均一とはならず、光源の中心部に対応する位置は明るいが、周辺部は暗くなるといった不都合が生じていた。
【０００４】
本発明は、このような従来技術の不都合を改善すべくなされたものであり、その主な目的は、収束光を発する比較的安価なＬＥＤを光源として採用しても、透光性を有する表示板の表示面の照度分布を均一化し得る表示装置およびこれを備えた画像通信機ならびに複写機を提供することにある。
【０００５】
【課題を解決するための手段】
このような目的を果たすために、本発明の請求項１に示す表示装置は、透光性を有する表示板と、前記表示板の側方に設けられた光源と、前記光源が発する光を前記表示板の背面に反射させるべく前記表示板と前記光源との間に設けられた反射板と、前記反射板で反射した光を前記表示板の背面に拡散させるべく前記表示板と前記反射板との間に設けられた第１の拡散シートと、前記光源が発する光を前記反射板へ拡散させるべく前記反射板と前記光源との間に設けられた第２の拡散シートとを具備し、前記第１の拡散シートと前記第２の拡散シートとは、略Ｌ字状に一体形成されたものである。
【０００６】
このようにすれば、光源から照射されたスポット光は、第２の拡散シートの拡散作用によって反射板に向けて拡散された後に反射板によって反射され、反射拡散光として第１の拡散シートに到達する。そして反射板からの反射拡散光は、第１の拡散シートの拡散作用によってさらに拡散されて表示板の背面に照明されることとなる。このため、収束光を発する光源を採用しても、表示板の照光面の照度分布の均一化を実現し得る。
【０００７】
また、第１の拡散シート側を上面にし、且つ第２の拡散シート側を側面にして、反射板の反射面を拡散シートで覆い被せるようにして第１の拡散シート側を所定の位置に取り付ければ、同時に第２の拡散シート側も所定の位置に取り付けられることになるので、２つの拡散シートの取り付け工数を削減することができる。しかも、第１の拡散シート側の上面に表示板を固定すれば、第２の拡散シート側も固定されることになるので、第２の拡散シート側の特別な固定手段を要さずに済む。
【０００８】
また、請求項２に示す表示装置は、上記略Ｌ字状に一体形成したものの第１の拡散シート側の第２の拡散シートとの接続部と反対側の端縁に折曲部（９）を形成するものとした。このようにすれば、第１の拡散シート側を上面にし、且つ第２の拡散シート側を側面にして反射板の反射面に拡散シートを覆い被せた際に、第１の拡散シート側の遊端縁に形成された折曲部を反射板の上側端に引っ掛ければ第１の拡散シート側の位置が簡単に定まるので、第２の拡散シート側の重みによって第１の拡散シート側が反射板の上側端からずれ落ちることを防止することができる。しかも、第１の拡散シート側の剛性が折曲部によって高まり、表示板の背面に対向する第１の拡散シートの変形が抑制されるので、反射板からの反射拡散光を表示板の背面に向けて確実に拡散させることができる。
【０００９】
また、請求項３に示す表示装置は、上記略Ｌ字状に一体形成したものの第２の拡散シート側の第１の拡散シートとの接続部と反対側の端縁との係合部（１０）を、反射板の光源に近い側の端縁に設けるものとした。このようにすれば、第１の拡散シート側を上面にし、且つ第２の拡散シート側を側面にして反射板の反射面に拡散シートを覆い被せた際に、第２の拡散シート側の遊端縁を反射板の係合部に係合させるだけで第２の拡散シート側の位置を簡単に定めることができる。しかも、第２の拡散シート側の遊端縁を反射板の一端縁に係合させることにより、第２の拡散シート側の遊端縁の変形が抑制されるので、光源から照射された収束光を反射板に向けて確実に拡散させることができる。
【００１０】
また、請求項４に示す表示装置は、上記反射板の両側端に遮光壁（１１）を設けるものとした。このようにすれば、拡散シートからの拡散光が反射板の両側端から漏出することを防止し得るので、液晶表示板の背面に拡散光を確実に照射することができる。しかも、Ｌ字形に一体形成された拡散シートを、第１の拡散シート側を上面にし、且つ第２の拡散シート側を側面にして反射板の反射面に覆い被せた際に、反射板の両側端の遮光壁同士間に拡散シートを挟み込ませることができるので、拡散シートの固定に特別な固定部材を要さずに済む。
【００１１】
また、請求項５に示す表示装置は、上記反射板の反射面（１３）を凹面とするものとした。このようにすれば、第２の拡散シートからの拡散光は、反射板で反射する際に過度に散乱せずに第１の拡散シートの受光面に到達することとなるので、従来の平面反射板を用いたものに比較して、表示装置の厚さ寸法の増大を招かずに第２の拡散シートからの拡散光を第１の拡散シートの受光面に無駄なく照射させることができる。
【００１４】
また、請求項６に示す表示装置は、上記拡散シートをポリエステルシートで形成するものとした。このようにすれば、ポリエステルシートの良好な拡散特性により、収束光を発する光源を採用した際の表示板の照度分布の均一化に寄与し得る。
【００１５】
さらに、上記の表示装置を、請求項７に示す如く画像通信機又は複写機に適用することにより、画像通信機又は複写機の使用性をより一層高めることができる。
【００１６】
【発明の実施の形態】
以下に添付の図面を参照して本発明の構成を詳細に説明する。
【００１７】
図１は、本発明による表示装置の基本的な構成を示す概念図である。この表示装置１は、例えば液晶パネルのような透光性を有する表示板２と、表示板２の側方（つまり表示板の表示面に対して直交する面）に設けられた例えば収束光を発する複数（例えば３個）のＬＥＤからなる光源３と、表示板２と光源３との間にて光軸を直角に折り曲げるために表示板２の表示面との挟角が例えば４５度をなすように傾斜して設置された反射板４と、光源３が発する光を拡散させて反射板４に当てるために反射板４の直前に設けられた例えば比較的良好な拡散特性を備えるポリエステルシートで形成された前段（第２の）拡散シート５と、反射板４で反射した光を拡散させて表示板２の背面に当てるために反射板４の直後に設けられた例えば比較的良好な拡散特性を備えるポリエステルシートで形成された後段（第１の）拡散シート６とからなっている。
【００１８】
なお、光源３は、反射板４における光源３に近い側の一端縁から延出された水平部７の終端部に結合された支持板８に取り付けられている。
【００１９】
このように構成された表示装置１にあっては、ＬＥＤからなる光源３が発する照明光は、直進性及び収束性を有しているが、前段拡散シート５を通過する際に、前段拡散シート５の拡散作用によって拡散された後に反射板４によって反射される。そしてこの反射拡散光は、後段拡散シート６を通過する際に、後段拡散シート６の拡散作用によってさらに拡散されて表示板２の背面に照射される。このようにして、収束性の高い点光源でも表示板２の照光面の照度分布を均一化し得るので、比較的安価なＬＥＤを光源として採用することができる。
【００２０】
図２〜図４に示したように、前段拡散シート５と後段拡散シート６とは、一枚のシートを略Ｌ字状に曲折して一体に形成されると共に、後段拡散シート６側の前段拡散シート５との接続部と反対側の端縁には、表示板２との対向面の反対側へ向けての折曲部９が形成されている。
【００２１】
他方、反射板４における光源３に近い側の端縁には、前段拡散シート５の後段拡散シート６との接続部と反対側の端縁と係合し得る溝からなる係合部１０が形成されている。更に、反射板４の両側端には、図５に併せて示すように、反射板４の反射面を斜辺とする直角三角形をなす遮光壁１１が設けられている。
【００２２】
このような構成の表示装置１を組み立てるに当たっては、先ず、略Ｌ字状に曲折形成した拡散シートアセンブリ１２を、後段拡散シート６側を上面にし、且つ前段拡散シート５側を側面にして反射板４の反射面に覆い被せる。このとき、反射板４の両側端に形成された直角三角形をなす遮光壁１１同士間に拡散シートアセンブリ１２の両側端縁を挟み込ませると共に、後段拡散シート６側の遊端縁の折曲部９を反射板４の表示板２に近い側の端縁４ａに引っ掛け、且つ前段拡散シート５側の遊端縁５ｂを反射板４の光源３に近い側の端縁に形成した係合部１０に係合させる。そして後段拡散シート６の上面に表示板２を固定すれば完成である。
【００２３】
上述した通り、本発明の構成によれば、後段拡散シート６或いは前段拡散シート５のいずれか一方の側を所定の位置に取り付ければ、これと同時に他方の側も所定の位置に取りつけられることになる。しかも後段拡散シート６の上面に表示板２を固定すれば、前段拡散シート５も固定されることになる。このようにして、前段、後段両拡散シート５・６の位置決めを簡単に行うことができるので、２つの拡散シートの取り付け工数を削減することができる。
【００２４】
これに加えて、後段拡散シート６側の剛性が折曲部９を設けることで高まるので、表示板２の背面に対向する後段拡散シート６の変形が抑制され、反射板４から表示板２の背面へ向けての反射光の拡散性を確実化することができる。
【００２５】
また、前段拡散シート５側の遊端縁を反射板４の一端縁に係合させることにより、前段拡散シート５側の遊端縁の変形が抑制されるので、光源３から照射された照明光を、反射板４に向けて確実に拡散させることができる。
【００２６】
さらに、遮光壁１１によって前段、後段両拡散シート５・６からの拡散光が反射板４の両側端から表示装置外に散乱することを防止する作用が得られるので、反射板４からの反射拡散光を表示板２の背面に向けて無駄なく照射させることができる。
【００２７】
上述の後段拡散シート６側の遊端縁に折曲部９を形成する構造と、前段拡散シート５側の遊端縁との係合部１０を反射板４の一端縁に設ける構造とは、これらの内のいずれか一方を実施するだけでも、一方の拡散シート側のみを位置決めすれば他方の拡散シートの位置が自動的に決まる作用が得られ、取り付け工数の削減効果と剛性の増強効果とを得られるが、両者を同時に実施すれば、より一層効果を高められる。
【００２８】
なお、拡散シートの材質としては、透明あるいは半透明の繊維による紙状あるいは布状のシートなど、表面あるいは内部で光が不規則に乱反射する物質であれば、上記のポリエステルに限らず適宜に適用することができる。
【００２９】
図６は、本発明の変形実施例を示している。本実施例は、反射板４の反射面１３を凹面としたものであり、これにより、前段拡散シート５を経た拡散光が反射面１３で反射される際に、必要以上に拡散せずに後段拡散シート６の受光面における所望の部位に光が到達可能となる。従って、前述した平面反射板を用いたものに比較して、表示装置１の大型化を招くことなく表示板２の表示面のみに照明光を高効率に照射させることができる。
【００３０】
図７は、本発明の別の変形実施例を示している。本実施例は、反射板４の反射面１４を粗面としたものである。これにより、反射板４による照明光の拡散範囲をより一層拡大することができるので、点光源を採用した際の表示板２の照度分布の均一化をより一層促進することができる。
【００３１】
図８は、本発明のさらに別の変形実施例を示している。本実施例は、拡散シートの拡散面１５に縮緬皺を形成したものである。これにより、拡散シートの照明光の拡散作用をより一層高めることができるので、点光源を採用した際の表示板２の照度分布の均一化をより一層促進することができる。
【００３２】
上記の表示装置１は、図９に示したように、画像通信機（ファクシミリ）１６のディスプレー１７に適用することにより、画像通信機１６の使用性をより一層高めることができ、さらに図１０に示したように、複写機１８のディスプレー１９に適用することにより、複写機１８の使用性をより一層高めることができる。
【００３３】
【発明の効果】
以上詳述した通り、本発明の請求項１の構成によれば、表示板と反射板との間に第１の拡散シートを設けると共に、反射板と光源との間に第２の拡散シートを設けるものとしたので、光源から照射された照明光は、第２の拡散シートの拡散作用によって拡散された上で反射板によって反射され、反射板からの反射拡散光は、第１の拡散シートの拡散作用によってさらに拡散されて表示板の背面を照明することとなる。これにより、点光源を採用した際の表示板の照光面の照度分布をより一層均一化する上に大きな効果を奏することができる。また、第１の拡散シートと第２の拡散シートとを、略Ｌ字状に一体形成するものとしたので、第
１の拡散シート側を上面にし、且つ第２の拡散シート側を側面にして反射板の反射面に覆い被せた際に、第１の拡散シートを所定の位置に取り付ければ、これと同時に第２の拡散シートも所定の位置に取りつけられることとなり、２つの拡散シートの取り付け工数を削減することができる。
【００３５】
また本発明の請求項２の構成によれば、略Ｌ字状に一体形成したものの第１の拡散シート側の遊端縁に折曲部を形成するものとしたので、折曲部を反射板の上側端に引っ掛けるだけで第２の拡散シート側の位置も定まることとなり、第２の拡散シート側の重みによって第１の拡散シート側が反射板の上側端からずれ落ちることを防止することができる。しかも、第１の拡散シート側の剛性が折曲部によって高まるので、表示板の背面に対向する第１の拡散シートの変形が抑制され、反射板からの反射拡散光を表示板の背面に向けて確実に拡散させることができる。
【００３６】
また本発明の請求項３の構成によれば、略Ｌ字状に一体形成したものの第２の拡散シート側の遊端縁との係合部を反射板の一端縁に設けるものとしたので、第２の拡散シート側の遊端縁を反射板の係合部に係合させるだけで第２の拡散シート側の位置を簡単に定めることができ、しかも第２の拡散シート側の遊端縁の変形を抑制し得るので、光源から照射された照明光を反射板に向けて確実に拡散させることができる。
【００３７】
また本発明の請求項４の構成によれば、反射板の両側端に遮光壁を設けるものとしたので、拡散シ−トからの拡散光が反射板の外方へ散乱することを防止し得ることとなり、点光源を採用した際の表示板の背面に向けての照明光の照射効率を高めることができる。しかも、Ｌ字形に一体形成された拡散シートを、第１の拡散シート側を上面にし、且つ第２の拡散シート側を側面にして反射板の反射面に覆い被せた際に、遮光壁同士間にて拡散シートを挟み込むことができるので、拡散シートの固定に特別な固定部材を必要とせずに済む。
【００３８】
また本発明の請求項５の構成によれば、反射板の反射面を凹面としたので、第２の拡散シートからの拡散光が反射板で反射する際に、必要以上に散乱させずに第１の拡散シートの受光面に光を到達させることができることとなり、平面反射板を用いたものに比較して表示装置の大型化を招かずに第２の拡散シートからの拡散光を第１の拡散シートの受光面に無駄なく照射することができる。
【００４１】
また本発明の請求項６の構成によれば、拡散シートをポリエステルシートで形成するものとしたので、ポリエステルシートの良好な拡散特性により、点光源を採用した際の表示板の照度分布をより一層均一化し得る。
【００４２】
さらに、上記の表示装置を、請求項７に示す如く画像通信機又は複写機に適用することにより、画像通信機又は複写機の使用性をより一層高めることができる。
【図面の簡単な説明】
【図１】本発明装置の基本構成を示す概念的な側面図
【図２】本発明装置の構成要素を示す分解斜視図
【図３】本発明装置の組立状態を示す斜視図
【図４】本発明装置の一部垂直断面図にして示す概念的な側面図
【図５】本発明装置の一部水平断面図にして示す概念的な平面図
【図６】本発明装置の変形実施例を示す概念的な側面図
【図７】本発明装置の別の変形実施例を示す概念的な側面図
【図８】本発明装置の更に別の変形実施例を示す概念的な側面図
【図９】本発明装置を適用した画像通信機の外観斜視図
【図１０】本発明装置を適用した複写機の部分的な外観斜視図
【図１１】従来装置の構成を示す概念的な側面図
【符号の説明】
１  表示装置
２  表示板
３  光源
４  反射板
５  前段（第２の）拡散シート
６  後段（第１の）拡散シート
７  水平部
８  支持板
９  曲折部
１０  係合部
１１  遮光壁
１２  拡散シートアセンブリ
１３  反射面
１４  反射面
１５  拡散面
１６  画像通信機
１７  ディスプレー
１８  複写機
１９  ディスプレー
【図１】
0004177025.tif 000002
【図２】
0004177025.tif 000003
【図３】
0004177025.tif 000004
【図４】
0004177025.tif 000005
【図５】
0004177025.tif 000006
【図６】
0004177025.tif 000007
【図７】
0004177025.tif 000008
【図８】
0004177025.tif 000009
【図９】
0004177025.tif 000010
【図１０】
0004177025.tif 000011
【図１１】
0004177025.tif 000012